Podtech/llm-jp-corpus-v4-ja_patent huggingface dataset:
【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】
対称通信サービスと非対称通信サービスをサポートする複数のモード回路
を含むことを特徴とする通信システム用ラインカード。
【請求項２】
前記複数のモード回路は、対称ｘＤＳＬサービスと非対称ｘＤＳＬサービスをサポートするｘＤＳＬインターフェースを有する
ことを特徴とする請求項１記載のラインカード。
【請求項３】
前記ｘＤＳＬインターフェースは、非対称デジタル加入者ラインサービス、非対称デジタル加入者ライン・ライトサービス、超高速デジタル加入者ラインサービス、対称デジタル加入者ラインサービス、高速ビットレートデジタル加入者ラインサービス、単一ペア対称デジタル加入者ラインサービス、ＨＤＳＬ２及びＳＨＤＳＬのうちのいずれか１つをサポートすることを特徴とする請求項２記載のラインカード。
【請求項４】
前記複数のモード回路は、ＰＯＴＳサービスをサポートするＰＯＴＳインターフェースを含む
ことを特徴とする請求項１記載のラインカード。
【請求項５】
前記複数のモード回路は、ＰＯＴＳサービスと非対称デジタル加入者ラインサービスとを実質的に同時にサポートし、前記ｘＤＳＬインターフェースは、非対称デジタル加入者ラインサービス、非対称デジタル加入者ライン・ライトサービス及び超高速デジタル加入者ラインサービスのうちのいずれか１つをサポートすることを特徴とする請求項４記載のラインカード
【請求項６】
ラインカードに基づいてＰＯＴＳ、非対称デジタル加入者ラインサービス及び対称デジタル加入者ラインサービスをサポートする方法であって、
（Ａ）  ＰＯＴＳ及び非対称デジタル加入者ラインサービスをサポートすべきかあるいはデジタル加入者ラインサービスをサポートすべきかを選択するステップと、
（Ｂ）  ラインカードで通信信号を受信するステップと、
（Ｃ）  ＰＯＴＳ及び非対称デジタル加入者ラインサービスがサポートされる場合には、前記通信信号中のＰＯＴＳ信号と非対称デジタル加入者ライン信号とを分離するステップと、
（Ｄ）  前記ＰＯＴＳ信号と前記非対称デジタル加入者ライン信号とを処理するステップと、
（Ｅ）  対称及び非対称デジタル加入者ラインサービスがサポートされる場合には、前記通信信号中のデジタル加入者ライン信号を分離するステップと、
（Ｆ）  前記デジタル加入者ライン信号を処理するステップと
を有することを特徴とする方法。
【請求項７】
前記（Ａ）ステップは、
（Ａ１）  外部デバイスから、どのＰＯＴＳ及び非対称デジタル加入者ラインサービスをサポートすべきか、または、どの対称デジタル加入者ラインサービス及び非対称デジタル加入者ラインサービスをサポートすべきか、についてのインストラクションを受信するステップ
を有することを特徴とする請求項６記載の方法。
【請求項８】
前記（Ｂ）ステップは、
（Ｂ１）  ハンドシェーク信号中の前記インストラクションを受信するステップを含む
ことを特徴とする請求項７記載の方法。
【請求項９】
前記（Ｂ）ステップは、
（Ｂ２）  通信セッション中にハンドシェーク信号中の前記インストラクションを受信するステップを含む
ことを特徴とする請求項８記載の方法。
【請求項１０】
前記（Ａ）ステップは、
（Ａ１）  ラインカードの動作を監視するステップと、
（Ａ２）  前記ラインカードの動作に基づいて、ＰＯＴＳ及び非対称デジタル加入者ラインサービスをサポートすべきかあるいは対称デジタル加入者ラインサービスをサポートすべきかを選択するステップと
からなることを特徴とする請求項６記載の方法。
【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
受信したベースバンド信号の周波数スペクトルを求め、該周波数スペクトルから２つの周波数f1とf2の成分を抽出し、該抽出されたそれぞれの周波数f1とf2の成分のそれぞれの電力p1とp2と全周波数成分の電力pを算出し、該それぞれの電力p1とp2の和と全周波数成分の電力pとの電力比(p1+p2)/pを算出し、算出された該電力比(p1+p2)/pが所定のしきい値を超えていれば、受信したベースバンド信号がプリアンブルの信号であると判断することを特徴とするプリアンブルパターン識別方法。
【請求項２】
請求項１記載のプリアンブルパターン識別方法において、前記周波数スペクトルから抽出する２つの周波数f1とf2の成分は、振幅が高い順に２つ抽出することを特徴とするプリアンブルパターン識別方法。
【請求項３】
請求項１または請求項２のいずれかに記載のプリアンブルパターン識別方法において、前記電力比が所定のしきい値を超えている場合に、前記２つの周波数f1とf2のの差の絶対値|f2-f1|を求め、
該差の絶対値|f2-f1|が所定の第１の値の範囲内にあれば、受信したベースバンド信号がプリアンブルの信号であると判断することを特徴とするプリアンブルパターン識別方法。
【請求項４】
受信したベースバンド信号の周波数スペクトルを求め、該周波数スペクトルから２つの周波数成分を抽出し、該抽出した２つの周波数成分のうちの低い方の周波数をf1、高い方の周波数をf2とし、
前記周波数f1から、プリアンブルの信号の送信時の周波数成分の２成分のうち低い方の周波数f10を減じた周波数偏差f1-f10を求め、
前記周波数f2から、プリアンブルの信号の送信時の周波数成分の２成分のうち高い方の周波数f20を減じた周波数偏差f2-f20を求め、
前記周波数偏差f1-f10と前記周波数偏差f1-f10の平均を求め、求めた該平均を送信機と受信機の間での周波数偏差とすることを特徴とする周波数偏差検出方法。
【請求項５】
受信したベースバンド信号の周波数スペクトルを求め、該周波数スペクトルから２つの周波数成分を抽出し、該抽出した２つの周波数成分のうちの片方の周波数をf1′とし、該周波数f1′からプリアンブルの信号の送信時の周波数の２成分のうち低い方の周波数f10を減じた値f1′-f10を求め、前記周波数f1′から前記プリアンブルの信号の送信時の周波数の２成分のうち高い方の周波数f20を減じた値f1′-f20を求め、
求めた値f1'-f10またはf1'-f20のどちらか一方を送信機と受信機の間での周波数偏差とすることを特徴とする周波数偏差検出方法。
【請求項６】
請求項４乃至請求項５のいずれかに記載の周波数偏差検出方法において、前記周波数スペクトルから抽出する２つの周波数f1とf2の成分は、振幅が高い順に２つ抽出することを特徴とする周波数偏差検出方法。
【請求項７】
受信したベースバンド信号の周波数スペクトルを求め、該周波数スペクトルから２つの周波数成分を抽出し、該抽出したそれぞれの周波数成分の位相φ1とφ2の位相差φ1-φ2を求め、該位相差φ1-φ2に基づいてシンボルタイミングを求めることを特徴とするシンボルタイミング検出方法。
【請求項８】
受信したベースバンド信号の周波数スペクトルを求め、該周波数スペクトルから２つの周波数f1とf2の成分を抽出し、該抽出したそれぞれの周波数f1とf2のそれぞれの電力p1とp2の電力比p1/p2を算出し、該電力比p1/p2が所定の値の範囲内であれば、
前記抽出したそれぞれの周波数f1とf2の位相φ1とφ2の位相差φ1-φ2を求め、該位相差φ1-φ2に基づいてシンボルタイミングを求めることを特徴とするシンボルタイミング検出方法。
【請求項９】
請求項７乃至請求項８のいずれかに記載のシンボルタイミング検出方法において、前記周波数スペクトルから抽出する２つの周波数f1とf2の成分は、振幅が高い順に２つ抽出することを特徴とするシンボルタイミング検出方法。
【請求項１０】
受信信号を１シンボル当たりNov回（Novは２以上の正整数）オーバーサンプリングしたベースバンド信号から、任意の連続したNwinサンプル（Nwinは２以上の正整数）のベースバンド信号を抽出し、該抽出したベースバンド信号に任意の窓関数を乗じ、該任意の窓関数を乗じたベースバンド信号x(n)（n=0，1，‥‥‥，(Nwin-1)）のDFT（離散フーリエ変換：Discrete Fourier Transform）X(k) （k=0，1，‥‥‥、(Nwin-1)）を演算し（X(k)は複素数）、該DFT出力X(k) （k=0，1，‥‥‥，(Nwin-1)）の全電力p=|X(0)|2+|X(1)|2+…+|X(Nwin-1)|2を算出し、
該DFT出力X(k)のうち、振幅の自乗値|X(k)|2が最大となるX(k)を検索してそのkをk11とし、X(k11)に隣接する成分から、|X(k11)|2の次に|X(k)|2が大きくなるX(k)を検索してそのkをk12とし、X(k11)とX(k12)の電力和p1=|X(k11)|2+|X(k12)|2を算出し、X(k11)の周辺を補間し、該補間した部分のピークにおける周波数をf1、位相をφ1とし、
変調方式により定められる自然数の定数をkdとし、X(k) (k=(k11-kd-1) mod Nwin，(k11-kd) mod Nwin，(k11-kd+1) mod Nwin，(k11+kd-1) mod Nwin，(k11+kd) mod Nwin，(k11+kd+1) mod Nwin)から、|X(k)|2が最大となるX(k)を検索してそのkをk21とし、X(k21)に隣接する成分のうち、|X(k21)|2の次に|X(k)|2が大きくなるX(k)を検索してそのkをk22とし、X(k21)とX(k22)の電力和p2=|X(k21)|2+|X(k22)|2を算出し、X(k21)の周辺を補間し、該補間した部分のピークにおける周波数をf2、位相をφ2とし、
該算出したf1とf2を比較し、f1>f2であれば、f1，φ1，p1を改めてf2，φ2，p2とし、f2，φ2，p2を改めてf1，φ1，p1とすることを特徴とするプリアンブル成分抽出方法。
【手続補正書】
【提出日】平成16年10月26日(2004.10.26)
【手続補正１】
【補正対象書類名】明細書
【補正対象項目名】特許請求の範囲
【補正方法】変更
【補正の内容】
【特許請求の範囲】
【請求項１】
並列チャネルエンコーダパケット伝送システムでサブパケットを送信する方法であって、
識別子を有する第１のサブパケットを生成するために、第１のサブパケットに、シーケンス識別子、ユーザ識別子およびエンコーダパケット識別子を付するステップと、
識別子を有する第１のサブパケットを、前記ユーザ識別子により識別されたユーザに送信するステップとを特徴とする方法。
【請求項２】
前記シーケンス識別子は、前記第１のサブパケットの第１の送信または再送信を示す１ビットからなることを特徴とする請求項１に記載の方法。
【請求項３】
前記シーケンス識別子は、前記第１のサブパケットの送信シーケンスを示す複数のビットからなることを特徴とする請求項１に記載の方法。
【請求項４】
並列チャネルエンコーダパケット伝送システムが２個のチャネルを有するときには、前記エンコーダパケット識別子は１ビットからなることを特徴とする請求項１に記載の方法。
【請求項５】
並列チャネルエンコーダパケット伝送システムが４個のチャネルを有するときには、前記エンコーダパケット識別子は２ビットからなることを特徴とする請求項１に記載の方法。
【請求項６】
前記ユーザ識別子により識別されたユーザからＮＡＣＫを受信するステップと、
識別子を有する新しいバージョンのサブパケットを生成するために、第１のサブパケットの新しいバージョンに、第２のシーケンス識別子、ユーザ識別子およびエンコーダパケット識別子を付するステップとをさらに含み、前記新しいバージョンの第１のサブパケットは第１のサブパケットとソフト結合可能であり、前記第２のシーケンス識別子は、新しいバージョンのサブパケットが前記第１のサブパケットの再送信であることを示すものであり、そして、
識別子を有する新しいバージョンの第１のサブパケットを送信するステップをさらに含むことを特徴とする請求項１に記載の方法。
【請求項７】
前記第１のサブパケットと前記第１のサブパケットの新しいバージョンとが同一であることを特徴とする請求項６に記載の方法。
【請求項８】
識別子を有する前記第１のサブパケットと識別子を有する前記新しいバージョンの第１サブパケットとが、異なるチャネルで送信されることを特徴とする請求項６に記載の方法。
【請求項９】
並列チャネルエンコーダパケット伝送システムでサブパケットを受信する方法であって、
ユーザ識別子、シーケンス識別子およびエンコーダパケット識別子を有するサブパケットを受信機において受信するステップと、
前記ユーザ識別子を使用して、受信されたサブパケットが前記受信機に対して向けられているかどうかを決定するステップと、
受信されたサブパケットが以前に受信されたサブパケットの再送信であるときには、前記受信されたサブパケットを同一のエンコーダパケット識別子を有する以前に受信されたサブパケットとソフト結合するステップとを特徴とする方法。
【請求項１０】
前記受信されたサブパケットと同一のエンコーダパケット識別子を有する以前に受信されたサブパケットとが、異なるチャネルを介して受信されたことを特徴とする請求項９に記載の方法。
【手続補正書】
【提出日】平成16年11月26日(2004.11.26)
【手続補正１】
【補正対象書類名】明細書
【補正対象項目名】特許請求の範囲
【補正方法】変更
【補正の内容】
【特許請求の範囲】
【請求項１】
薄膜バルク音響共鳴器を利用して実現される、フィルタ回路を含むダイと、
ベース部分、及び該ベース部分に組み込まれた信号経路を含んでいる、前記ダイを収容するパッケージと、
前記ダイを前記ベース部分に取り付け、前記ダイのパッドを前記ベース部分の前記信号経路に電気的に接続するハンダ接合部とを有し、該ハンダ接合部は、ワイヤ・ボンドを含まず、そワイヤ・ボンドの代わりに用いられることを特徴とする装置。
【請求項２】
前記パッケージは、気密密閉されていることを特徴とする、請求項１に記載の装置。
【請求項３】
前記パッケージは、セラミック材料から構成されることを特徴とする、請求項１に記載の装置。
【請求項４】
薄膜バルク音響共鳴器を利用して実現されるフィルタ回路をダイ内に作製する第１のステップと、
パッケージ内にダイを納める第２のステップとを含み、
該第２のステップは、ハンダ接合部を利用して、前記ダイを前記パッケージのベース部分に取り付け、前記ハンダ接合部によって、前記ダイのパッドがベース部分の信号経路に電気的に接続されるようにするサブステップを含み、前記ハンダ接合部がワイヤ・ボンドを含んでおらず、ワイヤ・ボンドの代わりに用いられることを特徴とする方法。
【請求項５】
前記第２のステップは、更に、前記ダイを前記パッケージ内に気密密閉するサブステップが含まれることを特徴とする、請求項４に記載の方法。
【請求項６】
前記第２のステップでは、前記パッケージをセラミック材料から構成することを特徴とする、請求項４に記載の方法。
【請求項７】
薄膜バルク音響共鳴器を利用して実現されるフィルタ回路をダイ内に作製する第１のステップと、
パッケージ内にダイをフリップ・チップ・ボンディングにより実装する第２のステップとを含み、
該第２のステップは、ハンダ接合部を利用して、前記ダイを前記パッケージのベース部分に直接取り付け、前記ハンダ接合部によって、前記ダイのパッドがベース部分の信号経路に電気的に接続されるようにするサブステップを含む方法。
【請求項８】
前記第２のステップは、更に、前記ダイを前記パッケージ内に気密密閉するサブステップが含まれることを特徴とする、請求項７に記載の方法。
【請求項９】
前記第２のステップでは、前記パッケージをセラミック材料から構成することを特徴とする、請求項７に記載の方法。
【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
活性層、電流伝導領域、及び該電流伝導領域に隣接する１つ以上の電流閉じ込め領域を含み、前記電流伝導領域及び前記電流閉じ込め領域が前記活性層へと電流を流すように構成されており、前記電流閉じ込め領域は、金属不純物を添加した電流障壁構造と、ｐ−ｎ接合電流障壁構造とを含み、該ｐ−ｎ接合電流障壁構造は、前記電流伝導領域と前記金属不純物を添加した電流障壁構造との間に設けられていることを特徴とする半導体素子。
【請求項２】
基板と、該基板上のメサストライプと、該メサストライプ中の活性層とを含み、前記電流伝導領域は、前記活性層に電流を流すことを特徴とする、請求項１に記載の半導体装置。
【請求項３】
前記メサストライプは、前記基板から隆起した１つ以上の側壁を含み、前記活性層は、前記側壁へと延びており、前記側壁で前記ｐ−ｎ接合電流障壁構造に重なるよう配置されることを特徴とする、請求項２に記載の半導体装置。
【請求項４】
前記メサストライプの前記側壁は、前記活性層から前記金属不純物を添加した電流閉じ込め構造に向けて横方向に離れるよう傾斜することを特徴とする、請求項２に記載の半導体装置。
【請求項５】
前記金属不純物を添加した前記電流閉じ込め構造は、実質的に垂直の界面に沿って前記ｐ−ｎ接合電流閉じ込め構造に接することを特徴とする、請求項１から４のいずれかに記載の半導体装置。
【請求項６】
前記半導体素子は、埋め込みヘテロ構造レーザダイオード素子であることを特徴とする、請求項１から５のいずれかに記載の半導体装置。
【請求項７】
前記半導体素子は、ＩＩＩ−Ｖ半導体材料から形成されることを特徴とする、請求項１から６のいずれかに記載の半導体装置。
【請求項８】
活性層、電流伝導領域、及び該電流伝導領域に隣接する１つ以上の電流閉じ込め領域を含み、前記電流伝導領域及び前記電流閉じ込め領域は、前記活性層へと電流を流すように構成される半導体素子の製造方法であって、
ｉ）半導体基板上に前記活性層、及び該活性層へと電流を供給する為の前記電流伝導層を含む複数の半導体層を成長させるステップと、
ii）前記活性層に隣接してｐ−ｎ接合電流障壁構造を成長させるステップと、
iii）前記ｐ−ｎ接合電流障壁構造に隣接して金属不純物を添加した電流障壁構造を成長させ、これにより前記ｐ−ｎ接合電流障壁構造と前記金属不純物を添加した前記電流障壁構造とで、前記電流伝導領域に電流を流す為の電流閉じ込め領域を形成するステップとを含むことを特徴とする製造方法。
【請求項９】
前記ステップii）の前に、エッチング除去すべき前記活性層の前記電流伝導領域に隣接する領域を画定する第一のエッチマスクを前記活性層上に形成し、さらに、
前記ステップiii）の前に、エッチング除去すべき前記ｐ−ｎ接合電流障壁構造の前記活性層に隣接しない領域を画定する第二のエッチマスクを前記活性層上、及び前記ｐ−ｎ接合電流障壁構造の前記電流伝導領域に隣接する領域上に形成することを特徴とする、請求項８に記載の製造方法。
【請求項１０】
前記ステップii）の前に、前記活性層の前記電流伝導領域に隣接するエッチング除去すべき領域を画定するエッチマスクを前記活性層上に形成し、
前記ステップii）では、前記ｐ−ｎ接合電流障壁構造を成長させる間も前記第一のエッチマスクを残しておき、第二のエッチング工程でも、前記エッチマスクをエッチング除去すべき前記ｐ−ｎ接合電流障壁構造の前記活性層に隣接していない領域の画定に利用することを特徴とする、請求項８に記載の製造方法。
【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
第1の導電型の半導体基板上に形成された第１導電型の第１のクラッド層と、
この第１のクラッド層上に形成した活性層と、
この活性層上に形成した第２導電型の第２のクラッド層と、
この第２のクラッド層上に形成されてリッジ状に加工された第２導電型の第３のクラッド層と、
前記リッジ形状の第３のクラッド層の両側の前記第２のクラッド層および前記活性層にプロトンイオンが注入されて形成され、前記リッジ形状下の前記第２のクラッド層よりも抵抗値の高い、前記活性層に注入される電流の前記リッジ形状の第３のクラッド層両側方向への拡散電流を抑えるプロトン注入領域と、
を備えたことを特徴とするリッジ導波型光半導体素子。
【請求項２】
前記半導体基板は、ＩｎＰまたはＧａＡｓから構成されることを特徴とする請求項１記載のリッジ導波型光半導体素子。
【請求項３】
前記第３のクラッド層のリッジ形状は逆メサ形状であることを特徴とする請求項１または２記載のリッジ導波型光半導体素子。
【手続補正書】
【提出日】平成16年9月17日(2004.9.17)
【手続補正１】
【補正対象書類名】明細書
【補正対象項目名】発明の名称
【補正方法】変更
【補正の内容】
【発明の名称】注型材料の製造方法
【手続補正２】
【補正対象書類名】明細書
【補正対象項目名】請求項１
【補正方法】変更
【補正の内容】
【請求項１】
紫外線、青色光及び／又は緑色光を放出するＬＥＤチップ（１）のための、発光物質顔料が分散している注型材料（５）の製造方法において、発光物質顔料（６）が、希土類をドープしたガーネット、希土類をドープしたチオ没食子酸塩、希土類をドープしたアルミン酸塩及び／又は希土類をドープしたオルトケイ酸塩の群から選択され、注型材料内に分散される前に≧２００℃の温度で熱処理されることを特徴とする注型材料の製造方法。
【手続補正３】
【補正対象書類名】明細書
【補正対象項目名】請求項３
【補正方法】変更
【補正の内容】
【請求項３】
注型材料中の発光物質顔料が≦２０μｍの粒子の大きさおよび≦５μｍのｄ５０値を持っていることを特徴とする請求項１又は２記載の方法。
【手続補正４】
【補正対象書類名】明細書
【補正対象項目名】請求項６
【補正方法】変更
【補正の内容】
【請求項６】
発光物質顔料がセリウムをドープしたガーネットの群から選択されることを特徴とする請求項１乃至５の１つに記載の方法。
【手続補正５】
【補正対象書類名】明細書
【補正対象項目名】請求項７
【補正方法】変更
【補正の内容】
【請求項７】
発光物質顔料がＹＡＧ：Ｃｅ粒子を有することを特徴とする請求項６に記載の方法。
【手続補正６】
【補正対象書類名】明細書
【補正対象項目名】請求項９
【補正方法】変更
【補正の内容】
【請求項９】
発光物質顔料がエポキシ注型樹脂と混ぜられる前に高温沸騰しているアルコールに浸され、次いで乾燥させることを特徴とする請求項１乃至８の１つに記載の方法。
【手続補正７】
【補正対象書類名】明細書
【補正対象項目名】請求項１０
【補正方法】変更
【補正の内容】
【請求項１０】
発光物質顔料に、エポキシ注型樹脂と混ぜられる前に疏水性シリコーンワックスが付加されていることを特徴とする請求項１乃至９の１つに記載の方法。
【手続補正８】
【補正対象書類名】明細書
【補正対象項目名】請求項１１
【補正方法】変更
【補正の内容】
【請求項１１】
発光物質顔料がアルコール、グリコールエーテル及びシリコーンでもってエポキシ注型樹脂において高温で表面改質されることを特徴とする請求項１乃至１０の１つに記載の方法。
【手続補正９】
【補正対象書類名】明細書
【補正対象項目名】０００１
【補正方法】変更
【補正の内容】
【０００１】
【発明の属する技術分野】
本発明は、紫外線、青色光及び／又は緑色光を放出するＬＥＤチップのための、発光物質顔料粉末が分散している注型材料の製造方法に関する。
【手続補正１０】
【補正対象書類名】明細書
【補正対象項目名】００４６
【補正方法】変更
【補正の内容】
【００４６】
半導体素体１の自由表面及び電気端子２，３の部分領域は、硬化した注型材料５で直接包囲されている。この注型材料は特に次の組成を持っている。即ち、エポキシ注型樹脂８０〜９０重量％、発光物質顔料（ＹＡＧ：Ｃｅ）≦１５重量％、ジエチレングリコールモノメチルエーテル≦２重量％、テゴプレン６８７５−４５≦２重量％、エアロシル２００≦５重量％。
【手続補正１１】
【補正対象書類名】明細書
【補正対象項目名】００４７
【補正方法】変更
【補正の内容】
【００４７】
本発明による半導体素子の図２に示された実施例は、半導体素体１と電気端子２，３の部分領域が注型材料の代わりに透明被覆１５で包囲されている点で、図１の実施例と異なる。この透明被覆１５は半導体素体１から放出された放射線の波長変換の作用をせず、例えば発光ダイオードの技術分野で従来使われているエポキシ、シリコーン或いはアクリル樹脂、或いは例えば無機ガラスのような他の適当な透光性物質からなる。
【手続補正１２】
【補正対象書類名】明細書
【補正対象項目名】００４８
【補正方法】変更
【補正の内容】
【００４８】
この透明被覆１５上には、図２に示すように、注型材料からなり被覆１５の全表面を覆う層４が被着されている。この層４はこの表面の部分領域のみを覆うようにすることも同様に考えられる。層４は、例えば、発光物質粒子６を添加されている透明なエポキシ樹脂からなる。この場合も、白色光を発する半導体素子の発光物質としてはＹＡＧ：Ｃｅが特に適している。
【手続補正書】
【提出日】平成16年10月26日(2004.10.26)
【手続補正１】
【補正対象書類名】明細書
【補正対象項目名】特許請求の範囲
【補正方法】変更
【補正の内容】
【特許請求の範囲】
【請求項１】
第１の通信システムのための第１の鍵値（ＫＥＹ１）を第２の通信システムのための第２の鍵値（ＫＥＹ２）に変換する方法であって、
第１のランダム関数（ｆ）を用いて前記第１の鍵値（ＫＥＹ１）の少なくとも一部から第１の中間値（Ｒ）を生成するステップと、
第２の値を生成するために、前記第１の中間値（Ｒ）の少なくとも一部を第２のランダム関数（ｈ）に与えるステップと、
第２の中間値（Ｔ）を生成するために、前記第１の鍵値（ＫＥＹ１）の少なくとも一部と、前記第２の値の少なくとも一部とについての排他的論理和を実行するステップと、
第３の値を生成するために、前記第２の中間値（Ｔ）の少なくとも一部を第３のランダム関数（ｇ）に与えるステップと、
前記第３の値の少なくとも一部と、前記第１の中間値（Ｒ）の少なくとも一部とについての排他的論理和を実行することにより、前記第２の鍵値（ＫＥＹ２）の少なくとも第１の部分を生成するステップとを含むことを特徴とする方法。
【請求項２】
前記第２の鍵値（ＫＥＹ２）の少なくとも第２の部分として、前記第２の中間値（Ｔ）の少なくとも一部を生成することを特徴とする請求項１に記載の方法。
【請求項３】
前記第１の中間値（Ｒ）を生成する前記ステップは、
ｎ−ｍビットの前記第１の中間値（Ｒ）を生成するために、ｍビットの前記第１の鍵値（ＫＥＹ１）を第１のランダム関数（ｆ）に与えるステップを含むことを特徴とする請求項１に記載の方法。
【請求項４】
前記第１の中間値（Ｒ）の少なくとも一部を第２のランダム関数（ｈ）に与える前記ステップと、前記第１の鍵値（ＫＥＹ１）の少なくとも一部と前記第２の値の少なくとも一部とについての排他的論理和を実行する前記ステップとは、
ｍビットの第２の値を生成するために、前記ｎ−ｍビットの第１の中間値（Ｒ）を第２のランダム関数（ｈ）に与えるステップと、
ｍビットを有する前記第２の中間値（Ｔ）を生成するために、前記ｍビットの第１の鍵値（ＫＥＹ１）と前記ｍビットの第２の値とについての排他的論理和を実行するステップとを含むことを特徴とする請求項３に記載の方法。
【請求項５】
前記第２の中間値（Ｔ）の少なくとも一部を第３のランダム関数（ｇ）に与える前記ステップと、前記第２の鍵値（ＫＥＹ２）の少なくとも第１の部分を生成する前記ステップとは、
ｎ−ｍビットの第３の値を生成するために、前記ｍビットの第２の中間値（Ｔ）を第３のランダム関数（ｇ）に与えるステップと、
前記第２の鍵値（ＫＥＹ２）のｎ−ｍビットの部分（Ｖ）を生成するために、前記ｎ−ｍビットの第３の値と、前記ｎ−ｍビットの第１の中間値（Ｒ）とについての排他的論理和を実行するステップとを含むことを特徴とする請求項４に記載の方法。
【請求項６】
ｎビットを有する前記第２の鍵値（ＫＥＹ２）のｍビットの第２の部分として、前記ｍビットの第２の中間値（Ｔ）を与えるステップを含むことを特徴とする請求項５に記載の方法。
【請求項７】
前記第３の値を生成するために、前記第２の鍵値（ＫＥＹ２）の前記第２の部分（Ｔ）を、前記第３のランダム関数（ｇ）に与えるステップと、
前記第２の鍵値（ＫＥＹ２）の前記第１の部分（Ｖ）と、前記第３の値との排他的論理和をとることにより、前記第１の中間値（Ｒ）を生成するステップとを含むことを特徴とする請求項２に記載の方法。
【請求項８】
前記第１の中間値（Ｒ）から前記第２の値を生成するために、前記第２のランダム関数（ｈ）を用いるステップと、
前記第２の値と、前記第２の鍵値（ＫＥＹ２）の前記第２の部分（Ｔ）との排他的論理和をとることにより、前記第１の鍵値の少なくとも一部を生成するステップとをさらに含むことを特徴とする請求項７に記載の方法。
【請求項９】
第１の通信システムのための第１の鍵値（ＫＥＹ１）を第２の通信システムのための第２の鍵値（ＫＥＹ２）に変換するための鍵変換システムであって、
第１のランダム関数（ｆ）を用いて、前記第１の鍵値（ＫＥＹ１）の少なくとも一部から第１の中間値（Ｒ）を生成するように構成され、前記第１の中間値（Ｒ）の少なくとも一部を第２のランダム関数（ｈ）に与えて第２の値を生成するように構成され、前記第１の鍵値（ＫＥＹ１）の少なくとも一部と前記第２の値の少なくとも一部とについての排他的論理和を実行して第２の中間値（Ｔ）を生成するように構成され、前記第２の中間値（Ｔ）の少なくとも一部を第３のランダム関数（ｇ）に与えて第３の値を生成するように構成され、さらに、前記第３の値の少なくとも一部と前記第１の中間値（Ｒ）の少なくとも一部との排他的論理和をとることにより前記第２の鍵値（ＫＥＹ２）の少なくとも第１の部分を生成するように構成される処理回路を含むことを特徴とする鍵変換システム。
【請求項１０】
前記処理回路はさらに、前記第２の鍵値（ＫＥＹ２）の少なくとも第２の部分として、前記第２の中間値（Ｔ）の少なくとも一部を生成するように構成されることを特徴とする請求項９に記載のシステム。
【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】
ファイバ・チャネル・インタフェースを用いて、テストパターンの直前にトリガパターンを有するシリアル・デジタル・データ・ストリームを受信するステップと、
前記シリアル・デジタル・データ・ストリームからクロック信号を抽出するステップと、
抽出された前記クロック信号に基づいて、前記シリアル・デジタル・データ・ストリームをデシリアライズするステップと、
パターンマスクが論理的に前記トリガパターンに関連し、デシリアライズされた前記シリアル・デジタル・データ・ストリームの選択された部分が前記パターンマスクに一致するかを判定するステップと、
デシリアライズされた前記シリアル・デジタル・データ・ストリームの選択された部分と前記パターンマスクとの間に一致するものが存在すると判定したとき、アーミング信号を出力するステップと、
を含む方法。
【請求項２】
コンピュータ実行可能な命令を有するコンピュータ可読媒体であって、
ファイバ・チャネル・インタフェースを用いて、テストパターンの直前にトリガパターンを有するシリアル・デジタル・データ・ストリームを受信するステップと、
前記シリアル・デジタル・データ・ストリームからクロック信号を抽出するステップと、
抽出した前記クロック信号に基づいて、前記シリアル・デジタル・データ・ストリームをデシリアライズするステップと、
パターンマスクが前記トリガパターンに論理的に関連し、デシリアライズされた前記シリアル・デジタル・データ・ストリームの選択された部分が前記パターンマスクと一致するかを判定するステップと、
デシリアライズされた前記シリアル・デジタル・データ・ストリームの選択された部分と前記パターンマスクとの間に一致するものが存在すると判定したとき、アーミング信号を出力するステップと、
をコンピュータに実行させる命令を有するコンピュータ可読媒体。
【請求項３】
構成であって、
ファイバ・チャネル・インタフェースを用いてシリアル・デジタル・データ・ストリームを受信するように構成されたデシリアライザであって、前記シリアル・デジタル・データ・ストリームは、テストパターンの直前にトリガパターンを有し、前記シリアル・デジタル・データ・ストリームからクロック信号を抽出し、抽出した該クロック信号に基づいて前記シリアル・デジタル・データ・ストリームをデシリアライズする、前記デシリアライザと、
前記デシリアライザに動作可能に接続されたロジックであって、
パターンマスクが前記トリガパターンに論理的に関連し、前記デシリアライザによって出力されたデシリアライズされた前記シリアル・デジタル・データ・ストリームの選択された部分が前記パターンマスクに一致するかを判定し、
デシリアライズされた前記シリアル・デジタル・データ・ストリームの選択された部分と前記パターンマスクとの間に一致するものが存在すると判定したとき、アーミング信号を出力する、前記ロジックと、
を備える構成。
【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
複数のデータパケットフローについてデータパケットの送信をスケジューリングするスケジューリング装置において、
前記データパケットフローには、通信リンクの送信容量ｒのうちの所定シェアが割り当てられ、前記データパケットフローは複数のバンドルにまとめられ、
前記バンドルには、前記通信リンクの処理容量のうちのサービスシェアが割り当てられ、
通信リンクを通じての送信はサービスフレームに分けられ、１サービスフレームは、あらゆるバックログデータパケットフローに少なくとも１つの送信機会を提供し、バックログデータパケットフローは、複数のパケットキューのうちの対応するパケットキューに格納された少なくとも１つのデータパケットを有するデータパケットフローであり、
前記スケジューリング装置は、
サービスフレームの期間を決定する手段と、
各データパケットフローが、十分な数の連続するサービスフレームにわたり連続して該データパケットフローにバックログがある場合に、常に少なくとも該データパケットフローに割り当てられたサービスシェアを受けるとともに、各バンドルが、十分な数の連続するサービスフレームにわたり１サービスフレームの全期間中連続してバックログのあるバンドル内に少なくとも１つのデータパケットフローがある場合に、少なくとも該バンドルに割り当てられたサービスシェアを受けることを保証する手段とを有し、
前記保証する手段は、
各バンドルＩについて、同じバンドルＩにまとめられた前記データパケットフローのそれぞれに割り当てられる前記サービスシェアの総和に関係する累積シェアΦＩを管理する手段と、
各バンドルＩについて、該バンドルＩに割り当てられるサービスシェアＲＩと、該バンドルの前記累積シェアΦＩとの間のサービス比を計算する手段と、
前記複数のバンドルのそれぞれについて計算されたサービス比を用いて、前記複数のデータパケットフローのそれぞれに割り当てられる前記サービスシェアを修正する手段とを有することを特徴とするスケジューリング装置。
【請求項２】
重み付けラウンドロビン（ＷＲＲ）アルゴリズム、不足ラウンドロビン（ＤＲＲ）アルゴリズム、および余剰ラウンドロビン（ＳＲＲ）アルゴリズムを含む群から選択されるアルゴリズムが、データパケットの送信をスケジューリングするために用いられることを特徴とする請求項１記載のスケジューリング装置。
【請求項３】
前記サービスフレームの期間を決定する手段は、
グローバルフレームカウンタＦＲＭＣＮＴと、
前記複数のバンドルの各バンドルＩに対する開始フラグσＩと、
前記複数のデータパケットフローの各データパケットフローｉに対するフレームフラグＦＦｉとを有することを特徴とする請求項１記載のスケジューリング装置。
【請求項４】
バンドルＩの開始フラグσＩは、該バンドル内の最初のデータパケットフローにバックログが生じたときに、グローバルフレームカウンタＦＲＭＣＮＴに等しくセットされることを特徴とする請求項３記載のスケジューリング装置。
【請求項５】
データパケットフローｉのフレームフラグＦＦｉは、該フローにバックログが生じるか、または、該フローが現サービスフレーム内で最後に処理されたフローであるときに、グローバルフレームカウンタＦＲＭＣＮＴとは異なる値に等しくセットされることを特徴とする請求項３記載のスケジューリング装置。
【請求項６】
サービスフレームの終了と次のサービスフレームの開始は、処理されるべき次のデータパケットフローｉのフレームフラグＦＦｉがグローバルフレームカウンタＦＲＭＣＮＴとは異なる値を有するときに、同時に検出されることを特徴とする請求項３記載のスケジューリング装置。
【請求項７】
バンドルＩの累積シェアΦＩの値は、バックログを生じているバンドルＩのデータパケットフローのサービスシェアの総和に等しいことを特徴とする請求項１記載のスケジューリング装置。
【請求項８】
バンドルＩの累積シェアΦＩの値は、該バンドルの最初のデータフローがサービスフレーム内で最初にサービスされるときにセットされ、たとえバンドルＩの１個または複数のデータパケットフローのバックログ状態が該サービスフレームの期間中に変化しても、同じサービスフレームの期間全体で不変のまま保持されることを特徴とする請求項１記載のスケジューリング装置。
【請求項９】
現在シェアφＩは、バンドルＩ内に蓄積されたデータパケットフローのサービスシェアの合計を維持し、そしてバンドル内の１または複数のデータパケットフローのバックログ状態が変化するときに変化し、前記現在シェアは必要時に前記累積シェアΦＩの値を設定するのに使用されることを特徴とする請求項８記載のスケジューリング装置。
【請求項１０】
複数のデータパケットフローについてデータパケットの送信をスケジューリングするスケジューリング方法において、
前記データパケットフローには、出通信リンクの送信容量のうちの所定シェアが割り当てられ、前記データパケットフローは複数のバンドルにまとめられ、
前記バンドルには、前記出通信リンクの送信容量ｒのうちのサービスシェアが割り当てられ、
通信リンクを通じての送信はサービスフレームに分けられ、１サービスフレームは、あらゆるバックログデータパケットフローに少なくとも１つの送信機会を提供し、バックログデータパケットフローは、複数のパケットキューのうちの対応するパケットキューに格納された少なくとも１つのデータパケットを有するデータパケットフローであり、
前記方法は、
サービスフレームの期間を決定するステップと、
各データパケットフローが、十分な数の連続するサービスフレームにわたり連続して該データパケットフローにバックログがある場合に、常に少なくとも該データパケットフローに割り当てられたサービスシェアを受けるとともに、各バンドルが、十分な数の連続するサービスフレームにわたり１サービスフレームの全期間中連続してバックログのあるバンドル内に少なくとも１つのデータパケットフローがある場合に、少なくとも該バンドルのサービスシェアを受けることを保証するステップと、
各バンドルＩについて、同じバンドルＩにまとめられた前記データパケットフローのそれぞれに割り当てられる前記サービスシェアの総和に関係する累積シェアΦＩを管理するステップと、
各バンドルＩについて、該バンドルＩに割り当てられるサービスシェアＲＩと、該バンドルの前記累積シェアΦＩとの間のサービス比を計算するステップと、
前記複数のバンドルのそれぞれについて計算されたサービス比を用いて、前記複数のデータパケットフローのそれぞれに割り当てられる前記サービスシェアを修正するステップとを有することを特徴とするスケジューリング方法。
【手続補正書】
【提出日】平成16年3月3日(2004.3.3)
【手続補正１】
【補正対象書類名】明細書
【補正対象項目名】特許請求の範囲
【補正方法】変更
【補正の内容】
【特許請求の範囲】
【請求項１】
（Ａ）  データ通知リクエストを受領するステップと、
（Ｂ）  オープン割当て状態にある間、前記データ通知リクエストを受領した場合、この受領したデータ通知リクエストに関連するユーザに対し、将来の補助チャネルをサポートするために、現在未使用の補助チャネル資源を将来を見越して割当てるステップとを有することを特徴とする補助チャネル資源を共有する方法。
【手続補正書】
【提出日】平成17年1月6日(2005.1.6)
【手続補正１】
【補正対象書類名】明細書
【補正対象項目名】特許請求の範囲
【補正方法】変更
【補正の内容】
【特許請求の範囲】
【請求項１】
複数種類の絵柄が複数個施された回転リールを複数有し、前記複数のリール上に施された絵柄を所定の表示窓上で揃えて停止させ、停止時の絵柄の組み合わせから所定数の球またはメダルを払い戻す遊戯台であって、
前記複数のリール上に前記絵柄を立体状に構成することを特徴とする遊戯台。
【請求項２】
前記絵柄は、エンボスにより前記リールの表面が台形凸状に隆起ないしは凹状に陥没した絵柄を形成して構成する、または前記リールの表面へ台形凸状に形成された絵柄を貼りつけ構成してなることを特徴とする請求項１記載の遊戯台。
【請求項３】
前記絵柄は、成型により前記リールの表面がお面状になだらかな隆起又は陥没を成した絵柄を形成して構成する、または前記リールの表面へお面状になだらかな凹凸をなした絵柄を貼りつけ構成してなることを特徴とする請求項１記載の遊戯台。
【請求項４】
前記絵柄を貼りつけて構成する場合、リール側部材が前記絵柄の内側に沿って光透過性があるか、あるいは切り取ってあることを特徴とする請求項２、または３項のいずれかに記載の遊戯台。
【請求項５】
前記複数のリールの絵柄部分は、光透過性を有する部材で形成し、前記表示窓に現れる前記絵柄の位置に対応して、当該各リールの裏面から照明するバックライト手段を備えることを特徴とする請求項１乃至４のいずれかに記載の遊戯台。
【請求項６】
前記複数のリールの中の少なくとも１つのリールが回転中であり、少なくとも他の一つのリールが停止状態にあり、前記停止状態にあるリールの並びが所定の役絵柄を構成する可能性を有している場合、
前記停止したリールの前記所定の役絵柄の組み合わせに対応する絵柄を前記バックライトで照明、
または前記所定の役絵柄の組み合わせに対応する入賞ラインに沿ったバックライトを全て点灯しリールを照明することを特徴とする請求項５記載の遊戯台。
【請求項７】
前記複数のリールが全て停止したときに、当該停止したリールの並びが入賞ラインで所定の役絵柄の組み合わせに揃った場合、
前記入賞ライン上の絵柄の裏面から対応する前記バックライトにより照明することを特徴とする請求項５記載の遊戯台。
【手続補正２】
【補正対象書類名】明細書
【補正対象項目名】０００５
【補正方法】変更
【補正の内容】
【０００５】
【課題を解決するための手段】
本発明の課題は、複数種類の絵柄が複数個施された回転リールを複数有し、前記複数のリール上に施された絵柄を所定の表示窓上で揃えて停止させ、停止時の絵柄の組み合わせから所定数の玉またはメダルを払い戻す遊戯台であって、前記複数のリール上に前記絵柄を立体状に構成することにより達成できる。
【手続補正３】
【補正対象書類名】明細書
【補正対象項目名】０００６
【補正方法】変更
【補正の内容】
【０００６】
また、前記絵柄は、エンボスにより前記リールの表面が台形凸状に隆起ないしは凹状に陥没した絵柄を形成して構成する、または前記リールの表面へ台形凹凸状に形成された絵柄を貼りつけ構成し、
更に前記絵柄は、成型によりリールの表面がお面状になだらかな隆起または陥没を成した絵柄を形成して構成する、または前記リールの表面へお面状になだらかな凹凸をなした絵柄を貼りつけ構成し、
また前記絵柄を貼りつけて構成する場合、リール側部材が前記絵柄の内側に沿って光透過性があるか、あるいは切り取ってあることを特徴とする。
【手続補正４】
【補正対象書類名】明細書
【補正対象項目名】０００７
【補正方法】変更
【補正の内容】
【０００７】
更に、前記複数のリールの絵柄部分は、光透過性を有する部材で形成し、前記表示窓に現れる前記絵柄の位置に対応して、当該各リールの裏面から照明するバックライト手段を備え、
前記複数のリールの中の少なくとも１つが回転中であり、少なくとも他の一つのリールが停止状態にあり、前記停止状態にあるリールの並びが所定の役絵柄を構成する可能性を有している場合、
停止したリールの所定の役絵柄の組み合わせに対応する絵柄をバックライトで照明、
または前記所定の役絵柄の組み合わせに対応する入賞ラインに沿ったバックライトを全て点灯しリールを照明する。
また、前記複数のリールが全て停止したときに、当該停止したリールの並びが入賞ラインで所定の役絵柄の組み合わせに揃った場合、前記入賞ライン上の絵柄の裏面から対応する前記バックライトにより、リール表示窓から見える絵柄の立体感を強調するとともに、遊戯者に役が揃うことへの期待感を与え、或いは役物を構成する可能性や成就を積極的に知覚させることが可能となり、より遊戯意欲を高めることができる。
【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
遊技者の操作に応じて変化する遊技状況を検出する遊技状況検出手段と、
前記遊技状況検出手段による検出結果に応じて1次抽選を行う1次抽選手段と、
入賞領域を有し、同入賞領域への入賞を容易にする第1の状態と、同入賞を困難にする第２の状態とに変更可能な変動入賞装置と、
前記1次抽選手段の抽選結果に応じ、前記変動入賞装置を第２の状態から第1の状態に切替える切替え手段と、
前記変動入賞装置の入賞領域内の状況を検出する領域状況検出手段と、
前記領域状況検出手段による検出結果に応じて２次抽選を行う２次抽選手段と、
前記２次抽選手段の抽選結果に基づき遊技者に有利な特別遊技状態を発生させる特別遊技状態発生手段とを備える遊技機において、
前記特別遊技状態発生手段による次回以降の少なくとも１回の特別遊技状態の発生確率を、前記１次抽選手段での抽選結果に応じて変動させる確率変動手段を備えることを特徴とする遊技機。
【請求項２】
前記１次抽選手段は、図柄を変動表示すると共にその図柄の変動停止態様により前記１次抽選を行う第１表示装置を備えるものであり、
前記２次抽選手段は、図柄を変動表示すると共にその図柄の変動停止態様により前記２次抽選を行う第２表示装置を備えるものであり、
前記確率変動手段は、前記第１表示装置に表示される図柄の種類に応じて前記発生確率を変動させるものであることを特徴とする請求項１に記載の遊技機。
【請求項３】
前記変動入賞装置は、入口が開閉する特定入賞口を備えるものであり、
前記発生確率の高い高確率モードと前記発生確率の低い低確率モードとで、前記特定入賞口の開閉パターンが異なるように設定されていることを特徴とする請求項１または請求項２に記載の遊技機。
【請求項４】
前記切替え手段は、前記1次抽選手段の抽選結果が当りであると、前記変動入賞装置を第２の状態から第1の状態に切替えるものであり、
前記確率変動手段は、前記１次抽選手段で当りが発生する確率を高めるものであることを特徴とする請求項１から請求項３までのいずれか１つに記載の遊技機。
【請求項５】
前記発生確率が高い高確率モードでは、前記変動入賞装置を第２の状態から第1の状態に切替える回数が少なく、前記発生確率が低い低確率モードでは、前記変動入賞装置を第２の状態から第1の状態に切替える回数が多くなるように設定されていることを特徴とする請求項４に記載の遊技機。
【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
分散が最小で慣性モーメント、初期スピン及び全飛翔距離の向上した特性を持つスリーピース糸巻きゴルフボールにおいて、
１．３５ないし１．５０インチ（３４．３ないし３８．１ｍｍ）のコア直径と、１．２３ないし１．２４の比重と、５５ないし７５のシヨアＤデュロメータ硬さと、アツテイ圧縮試験機で５９ないし７５の圧縮状態とを持つポリブタジエンを主として成る実質的に球形の固体中心コア部分と、
８００ないし１０００％の伸びと、４０００ないし５０００ｐｓｉの引張強さと、０．０６２５（＋／−０．００２）インチ×０．０２４（＋／−０．００６）インチの長方形横断面形状とを持つエラストマー質糸材料を、前記固体中心コア部分上に１．５４０ないし１．６００インチ（３９．１ないし４０．６ｍｍ）の直径に巻付けた中間の糸巻き部分と、
１．００ないし１．０４ｇ／ｃｍ3の密度と、５．０００ないし１０．０００ｐｓｉの曲げ係数と、５５ないし６５のシヨアＤデュロメータ硬さとを持つ熱可塑性材料で形成され、ボール表面積の７０ないし８０％を占める４００ないし５００ｍｍ3の全容積を持つ多数のデインプルを設けたカバー部分とから成り、
前記ゴルフボールが、１．６８０ないし１．６８８インチ（４２．７ないし４２．９ｍｍ）の外径と、４４．５ないし４５．９グラムの重量と、１．０９０ないし１．１１８ｇ／ｃｍ3の密度と、８５＋／−１５ポイントのアツテイ圧縮読みとを備えて成る、スリーピース糸巻きゴルフボール。
【請求項２】
分散が最小で慣性モーメント、初期スピン及び全飛翔距離の向上した特性を持つスリーピース糸巻きゴルフボールにおいて、
１．４０ないし１．４５インチ（３５．６ないし３６．８ｍｍ）のコア直径と、１．２３ないし１．２４の比重と、５５ないし７５のシヨアＤデュロメータ硬さと、アツテイ圧縮試験機で５９ないし７５の圧縮状態とを持つポリブタジエンを主として成る実質的に球形の固体中心コア部分であって、インチで表わしたコア直径のコア比重に対する比率を０．９／１ないし１．３／１とした固体中心コア部分と、
８００ないし１０００％の伸びと、４０００ないし５０００ｐｓｉの引張強さと、０．０６２５（＋／−０．００２）インチ×０．０２４（＋／−０．００６）インチの長方形横断面形状とを持つエラストマー質糸を、前記固体中心コア部分上に１．５６０ないし１．５８０インチ（３９．６ないし４０．１ｍｍ）の直径に巻付けた中間糸巻き部分と、
１．００ないし１．０４ｇ／ｃｍ3の密度と、５，０００ないし１０，０００ｐｓｉの曲げ係数と５５ないし６５のシヨアＤデュロメータ硬さとを持つ熱可塑性材料で形成され、ボール表面積の７０ないし８０％を占め、４００ないし５００ｍｍ3の全容積を持つ多数のデインプルを設けたカバー部分とから成り、
前記ゴルフボールが１．６８０ないし１．６８８インチ（４２．７ないし４２．９ｍｍ）の外径と、４４．５ないし４５．９グラムの重量と、１．０９０ないし１．１１８ｇ／ｃｍ3の密度と、８５＋／−１．５ポイントのアツテイ圧縮読みとを備えて成るスリーピース糸巻きゴルフボール。